(57)【要約】      （修正有）【課題】ペットを車両に乗せた場合に、ペットの安全性を向上することができるペット用乗車具を提供する。【解決手段】ペット用乗車具１は、車両の座席に取り付けられ、ペットＰを乗せるものであって、座席の背もたれに取り付けられる本体１０と、本体に取り付けられ、本体から前方に延び、ペットが乗る床面２１を形成する床部２０と、床部に配置され、床面に乗ったペットを囲う保護部３０と、を備える。【選択図】図１
0003231084.tif 000002
【実用新案登録請求の範囲】
【請求項１】
車両の座席に取り付けられ、ペットを乗せるペット用乗車具であって、
前記座席の背もたれに取り付けられる本体と、
前記本体に取り付けられ、前記本体から前方に延び、ペットが乗る床面を形成する床部と、
前記床部に配置され、前記床面に乗ったペットを囲う保護部と、を備えることを特徴とするペット用乗車具。
【請求項２】
前記保護部は、
前記床面の外縁に沿って延びる軸部材で形成された複数の枠と、
前記枠に張られたネットと、を備え、
複数の前記枠は、基端側が、前記床部の基端側に配置され、互いに回動自在に接続され、
少なくとも、１つの前記枠は、先端側が前記床部の先端側に向いた初期状態から、基端側を中心に回動し、先端側が前記床部の基端側に移動することを特徴とする請求項１に記載のペット用乗車具。
【請求項３】
前記本体は、
前記座席の背もたれに固定される駆動部と、
前記駆動部の駆動により、前記駆動部に沿って昇降する昇降部と、を備え、
前記床部は、前記昇降部の下端側に、取り付けられていることを特徴とする請求項１又は２に記載のペット用乗車具。
【考案の詳細な説明】
【技術分野】
【０００１】
本考案は、車両の座席に取り付けられ、ペットを乗せるペット用乗車具に関する。
【背景技術】
【０００２】
近年、ペットを乗せて、自動車を運転する者が増えている。このような場合、ペットが自動車内において、居場所を求め、車内を動き回り、運転者が、自動車の運転に集中できないという問題がある。
【０００３】
そこで、例えば、特許文献１には、基板と、基板に所定の角度で取り付けた竪板と、竪板に備えた位置調節手段とを備え、竪板を自動車の座席に取り付け、基板にペットを乗せるペット用座席が提案されている。
【先行技術文献】
【特許文献】
【０００４】
【特許文献１】実用新案登録第３１２３７４４号公報
【考案の概要】
【考案が解決しようとする課題】
【０００５】
しかしながら、特許文献１のペット用座席は、ペットの居場所としての基板が設けられているものの、ペットが基板から移動し、例えば、ダッシュボードに前足を付けたり、ドライバー席に来てハンドル前に立ち上がる等の行動を取るおそれがある。
また、自動車の運転中は、急ブレーキや、急カーブ等の危険な事態も発生する。このような場合、仮に、ペットは、基板に乗っていたとしても、基板から転げ落ちる可能性もあり、より安全性を向上することが求められている。
【０００６】
本考案は、上記の点に鑑みてなされたものであり、ペットを車両に乗せた場合に、ペットの安全性を向上することができるペット用乗車具を提供することを目的とする。
【課題を解決するための手段】
【０００７】
（１）  車両の座席に取り付けられ、ペットを乗せるペット用乗車具であって、
前記座席の背もたれに取り付けられる本体と、
前記本体に取り付けられ、前記本体から前方に延び、ペットが乗る床面を形成する床部と、
前記床部に配置され、前記床面に乗ったペットを囲う保護部と、を備えることを特徴とするペット用乗車具。
【０００８】
（１）の考案において、車両の座席に取り付けられ、ペットを乗せるペット用乗車具は、本体と、床部と、保護部と、を備える。
本体は、座席の背もたれに取り付けられる
床部は、本体に取り付けられ、本体から前方に延び、ペットが乗る床面を形成する
保護部は、床部に配置され、床面に乗ったペットを囲う
【０００９】
（１）の考案によれば、座席の背もたれに取り付けられた本体に取り付けられ、ペットが乗る床面を形成する床部にペットを乗せて、このペットを、保護部で囲うことができる。
これにより、例えば、車両の走行中に、急ブレーキや、急カーブ等の危険な事態が発生して、床部の上でペットがよろめいても、保護部によってペットが、床部から転落するのを防止できる。
したがって、ペットを車両に乗せた場合に、ペットの安全性を向上することができるペット用乗車具を提供できる。
【００１０】
（２）  前記保護部は、
前記床面の外縁に沿って延びる軸部材で形成された複数の枠と、
前記枠に張られたネットと、を備え、
複数の前記枠は、基端側が、前記床部の基端側に配置され、互いに回動自在に接続され、
少なくとも、１つの前記枠は、先端側が前記床部の先端側に向いた初期状態から、基端側を中心に回動し、先端側が前記床部の基端側に移動することを特徴とする（１）に記載のペット用乗車具。
【００１１】
（２）の考案において、保護部は、複数の枠と、ネットと、を備える。
複数の枠は、床面の外縁に沿って延びる軸部材で形成されている。
ネットは、枠に張られている。
そして、複数の枠は、基端側が、床部の基端側に配置され、互いに回動自在に接続されている。
また、少なくとも、１つの枠は、先端側が床部の先端側に向いた初期状態から、基端側を中心に回動し、先端側が床部の基端側に移動する。
【００１２】
（２）の考案によれば、初期状態において、ペットを床部の床面の中央に乗せてから、少なくとも、１つの枠を回動させ、先端側を床部の基端側に移動する。これにより、この少なくとも１つの枠と、他の枠（例えば、先端側が床部の先端側に向いたままの枠）との間のネットが、回動させた枠に追随して広がり、床面の中央に乗せたペットを、ネットで囲うことができる。
【００１３】
（３）  前記本体は、
前記座席の背もたれに固定される駆動部と、
前記駆動部の駆動により、前記駆動部に沿って昇降する昇降部と、を備え、
前記床部は、前記昇降部の下端側に、取り付けられていることを特徴とする（１）又は（２）に記載のペット用乗車具。
【００１４】
（３）の考案において、本体は、駆動部と、昇降部と、を備える。
駆動部は、座席の背もたれに固定される。
昇降部は、駆動部の駆動により、駆動部に沿って昇降する。
そして、床部は、昇降部の下端側に、取り付けられている。
【００１５】
ここで、ペットには、車両の窓から、人間同様に車外の景色を見たいという要望がある。ところが、例えば、ペットが小型犬であった場合、車両の座席に乗せても、目線が、車両の窓の下になってしまい、車外の景色を見ることができない。このような状態となると、ペットは、車外の景色を見るために、例えば、ダッシュボードの上に上がろうとしたり等の危険な行動をとろうとする。
【００１６】
（３）の考案によれば、例えば、ペットの目線が、車両の窓の位置にくるように、ペットを乗せた床部を、駆動部の駆動により、駆動部に沿って、上昇させることが可能となる。このように、ペットにおける、車外の景色を見たいという要望を満たすことで、ペットが想定外の動きをする可能性を低減できる。
したがって、ペットを車両に乗せた場合に、ペットの安全性をより向上することができるペット用乗車具を提供できる。
【考案の効果】
【００１７】
本考案によれば、ペットを車両に乗せた場合に、ペットの安全性を向上することができるペット用乗車具を提供できる。
【図面の簡単な説明】
【００１８】
【図１】本考案の一実施形態に係るペット用乗車具の斜視図である。
【図２】本考案の一実施形態に係るペット用乗車具の斜視図である。
【図３】本考案の一実施形態に係るペット用乗車具の斜視図である。
【図４】本考案の一実施形態に係るペット用乗車具における本体の構成を説明する図である。
【図５】本考案の一実施形態に係るペット用乗車具の使用方法を説明する図である。
【図６】本考案の一実施形態に係るペット用乗車具の使用方法を説明する図である。
【考案を実施するための形態】
【００１９】
以下、本考案の一実施形態を図面に基づいて説明する。以下の説明において、同一又は類似の構成には同一の符号を付し、その説明を省略又は簡略化する。
ペット用乗車具１は、折り畳み可能に構成され、収納・運搬時では閉じた状態としておき、ペットを自動車に乗せるために使用する場合には、開いた状態として、ペットＰを乗せ、ペットＰを囲むことができる。
本実施形態において、「ペット」とは、犬、猫等の人に飼われる愛玩動物である。
【００２０】
図１、図２及び図３は、本考案の一実施形態に係るペット用乗車具の斜視図である。
図１は、ペット用乗車具１を、開いた状態として、ペットＰを乗せ、ペットＰを囲んだ状態を示している。図２は、ペット用乗車具１を、開いた状態として、ペットＰを乗せ、ペットＰを囲んでいない状態を示している。図３は、ペット用乗車具１の閉じた状態を示している。
【００２１】
ペット用乗車具１は、本体１０と、本体１０の下端側に回動自在に取り付けられた床部２０と、床部２０に配置される保護部３０と、を備える。
【００２２】
図４は、本考案の一実施形態に係るペット用乗車具における本体の構成を説明する図である。
本体１０は、座席Ｓの背もたれＳ１（後述する図５参照）に取り付けられ、駆動部１１と、昇降部１２と、を備える。
【００２３】
駆動部１１は、昇降部１２及び昇降部１２に取り付けられペットＰが乗せられる床部２０を昇降させるための構成であり、収容部１１１と、回転軸部１１２と、駆動機構１１３と、を備える。
【００２４】
収容部１１１は、内部空間を有する箱形状に形成され、ペット用乗車具１を使用する場合には、帯状体（例えば、後述する図５に示すベルト１１１ａ）により、座席Ｓの背もたれＳ１（後述する図５参照）に固定される。
【００２５】
回転軸部１１２は、収容部１１１の内部に配置され、下端が駆動機構１１３に回転自在に支持され、上端側が、収容部１１１が延びる方向（昇降部１２の移動方向）に延びる円柱形状の軸状体であり、外周面にねじ山が形成されている。回転軸部１１２には、後述する昇降部１２の係合部１２２が係合している。
【００２６】
駆動機構１１３は、収容部１１１の内部の下端に設けられており、回転軸部１１２の下端を回転自在に支持し、モータにより、回転軸部１１２を、回転軸部１１２が延びる方向における回転軸部１１２の中心線を中心に回転させる。駆動機構１１３は、例えば、収容部１１１の内部に設けられたバッテリーや、外部電源（自動車から取得可能な電源等）により、モータを回転させる。なお、駆動機構１１３は、上述の形態に限らず、昇降部１２及び昇降部１２に取り付けられペットＰが乗せられる床部２０を昇降させることができれば、任意の構成とすることができる。
【００２７】
昇降部１２は、収容部１１１の前面側において、収容部１１１に、所定方向（図４に示す状態では、上下方向）にスライド自在に取り付けられた昇降部本体１２１と、昇降部本体１２１の後面側から突出し、回転軸部１１２と係合する係合部１２２と、を備える。
【００２８】
昇降部本体１２１は、本実施形態では前方が開放された箱形状に形成されているが、収容部１１１に所定方向（図４に示す状態では、上下方向）にスライド自在に取り付けられれば板形状でもよい。また、収容部１１１の前面と昇降部本体１２１と後面との間に、昇降部本体１２１の移動方向をガイドするレール等を設けてもよい。
【００２９】
係合部１２２は、基端側が係合部１２２の後面に固定され、後面側に突出し、昇降部本体１２１の移動方向に延びる孔が形成され、この孔の内周面には、回転軸部１１２の外周面に形成されたねじ山と螺合するねじ山が形成されている。
【００３０】
図１に戻って、床部２０は、本体１０の昇降部本体１２１の下端に、例えば、蝶番等の接続部材を介して、基端（図１に示す例では後端）が、回動自在に取り付けられている。
床部２０は、図１に示す状態で、上方が開放された箱形状に形成されているが、ペットＰが乗る床面２１を形成できれば、板形状でもよい。
【００３１】
床部２０は、運搬・収納時は、図３に示すように、昇降部本体１２１と重なるように（略並行になるように）配置された閉じた状態となり、ペットＰを乗せる時に、先端側（図３に示す例では上端）を前方側に移動させることで、昇降部本体１２１との接続位置である下端を中心に回動し、図１に示す開いた状態となる。
【００３２】
また、ペット用乗車具１は、昇降部本体１２１に対する床部２０の可動可能範囲を規制する規制部材４０を備える。規制部材４０は、昇降部本体１２１の中間位置と、床部２０の中間位置とに、両端が接続され、図１に示す開いた状態では伸びきり、図３に示す閉じた状態では屈曲した状態となる。
【００３３】
なお、規制部材４０は、図１に示す例では、複数のステー部材が、互いに回動自在に軸支され、図１に示す開いた状態では、複数のステー部材が一直線となり、図３に示す閉じた状態では、互いに回動自在に軸支された部分で折れ曲がる構成としているが、これに限らず、例えば、紐状体や、チェーン部材等で構成してもよい。
【００３４】
保護部３０は、床部２０に配置され、床面２１に乗ったペットＰを囲うものであり、複数の枠３１と、ネット３２と、を備える。
【００３５】
複数の枠３１は、床面２１の外縁に沿って延びる軸部材で形成されている。具体的には、枠３１は、上面視で、略コの字形状に形成され、基端側（枠が無く開放された側）が、床部２０の基端側（床部２０が昇降部本体１２１に接続されている側）に配置されている。
【００３６】
複数の枠３１は、図２に示すように、内法寸法が、互いに異なるように形成され、内法寸法が大きいものの内側に、内法寸法が小さいものが配置され、基端側において、互いに回動自在に接続されている。
【００３７】
複数の枠３１は、例えば、一番内側に配置された枠３１（内法寸法が一番小さい枠３１）又は一番外側に配置された枠３１（内法寸法が一番大きい枠３１）を、先端側が床部２０の先端側に向いた初期状態から、基端側を中心に回動させ、先端側が床部２０の基端側に（昇降部本体１２１の前面に当接するまで）移動可能である。昇降部本体１２１の前面に当接するまで回動された枠３１の先端側を、昇降部本体１２１に固定部材で、解除可能に固定してもよい。
【００３８】
また、複数の枠３１は、図１に示すように、端側が床部２０の先端側に向いた初期状態のままの枠３１と、先端側が昇降部本体１２１の前面に当接するまで回動された枠３１と、の間に配置され、保護部３０で覆われる空間を確保するための中間枠３１１を含むのが望ましい。中間枠３１１は、図１に示す例では、１つであるが、所定間隔で、複数配置してもよい。
【００３９】
ネット３２は、柔軟性を有する素材（例えば、ナイロンや綿等）が網形状に形成されている。図１及び後述する図６では、ネット３２が形成された範囲をグレーで表示している。ネット３２は、複数の枠３１の内法に沿って、複数の枠３１のうち、先端側が床部２０の先端側に向いた初期状態のままの枠３１から、先端側が昇降部本体１２１の前面に当接するまで回動された枠３１まで、形成されている。
【００４０】
ネット３２は、一番内側に配置された枠３１（内法寸法が一番小さい枠３１）又は一番外側に配置された枠３１（内法寸法が一番大きい枠３１）の先端が、昇降部本体１２１の前面に当接するまで回動され、中間枠３１１が、他の枠３１と所定間隔で配置された状態（図１に示す状態）において、適度に張られるように、複数の枠３１に固定されている。すなわち、ネット３２は、全ての枠３１が初期状態から回動されていない状態（図２に示す状態）では、弛んだ状態で、複数の枠３１の周囲に配置されている。なお、図２では、ネット３２の記載を省略している。床部２０と、本体１０の昇降部本体１２１とが重なるように（略並行になるように）配置された閉じた状態（初期状態）において、保護部３０は、全ての枠３１が初期状態から回動されていない状態で、床部２０と昇降部本体１２１との間に配置されている。
【００４１】
このような保護部３０は、一番内側に配置された枠３１又は一番外側に配置された枠３１の先端を、昇降部本体１２１の前面に当接するまで回動させると、この枠３１に追随して、ネット３２が張られ、ネット３２に追随して、中間枠３１１が回動し、保護部３０の内側に向かって、ネット３２が垂れ下がるのを防止できる。
【００４２】
次に、ペット用乗車具１の使用方法について説明する。
図５及び図６は、本考案の一実施形態に係るペット用乗車具の使用方法を説明する図である。
使用者は、まず、図３に示すような床部２０と、本体１０の昇降部本体１２１とが重なるように（略並行になるように）配置された閉じた状態（初期状態）のペット用乗車具１を、自動車の座席Ｓに配置する。そして、本体１０の収容部１１１を、座席Ｓの背もたれＳ１に、ベルト１１１ａにより固定する。
【００４３】
次に、使用者は、床部２０を、先端側を前方側に移動させることで、昇降部本体１２１との接続位置である下端を中心に回動させ、略水平に配置し、床部２０の上に、ペットＰを乗せる。これにより、図５に示す状態となる。
【００４４】
次に、使用者は、一番内側に配置された枠３１又は一番外側に配置された枠３１を、先端側が昇降部本体１２１の前面に当接するまで回動させ、保護部３０でペットＰを囲う。
また、図５に示す状態では、ペットＰの目線が、自動車の窓Ｗの下であるので、使用者は、駆動機構１１３を駆動し、床部２０の上に乗せられたペットＰの目線が窓Ｗまでくるように、昇降部１２を上昇させる。これにより、図６に示す状態となる。
【００４５】
このようなペット用乗車具１によれば、座席Ｓの背もたれＳ１に取り付けられた本体１０に取り付けられ、ペットＰが乗る床面２１を形成する床部２０にペットＰを乗せて、このペットＰを、保護部で囲うことができる。
これにより、例えば、車両の走行中に、急ブレーキや、急カーブ等の危険な事態が発生して、床部の上でペットがよろめいても、保護部によってペットが、床部から転落するのを防止できる。
したがって、ペットを車両に乗せた場合に、ペットの安全性を向上することができるペット用乗車具を提供できる。
【００４６】
また、ペット用乗車具１によれば、初期状態において、ペットＰを床部２０の床面２１の中央に乗せてから、少なくとも、１つの枠３１を回動させ、先端側を床部２０の基端側に移動する。これにより、この少なくとも１つの枠３１と、他の枠３１（例えば、先端側が床部の先端側に向いたままの枠）との間のネット３２が、回動させた枠３１に追随して広がり、床面２１の中央に乗せたペットＰを、ネット３２で囲うことができる。
【００４７】
また、ペット用乗車具１によれば、ペットＰの目線が、車両の窓Ｗの位置にくるように、ペットＰを乗せた床部２０を、駆動部１１の駆動により、駆動部１１に沿って、上昇させることが可能となる。このように、ペットＰにおける、車外の景色を見たいという要望を満たすことで、ペットＰが想定外の動きをする可能性を低減できる。
したがって、ペットを車両に乗せた場合に、ペットの安全性をより向上することができるペット用乗車具を提供できる。
【００４８】
なお、本考案は、上記の実施形態に限定されるものではない。
【符号の説明】
【００４９】
１  ペット用乗車具
１０  本体
１１  駆動部
１２  昇降部
２０  床部
２１  床面
３０  保護部
３１  枠
３２  ネット
４０  規制部材
１１１  収容部
１１１ａ  ベルト
１１２  回転軸部
１１３  駆動機構
１２１  昇降部本体
１２２  係合部
３１１  中間枠
Ｐ  ペット
Ｓ  座席
Ｓ１  背もたれ
Ｗ  車両の窓
【図１】
0003231084.tif 000003
【図２】
0003231084.tif 000004
【図３】
0003231084.tif 000005
【図４】
0003231084.tif 000006
【図５】
0003231084.tif 000007
【図６】
0003231084.tif 000008